(57)【要約】【課題】簡素な構成でありながら、ダム等の水面近傍の浮遊物を効率よく除去できる浮遊物除去装置を提供することを目的とする。【解決手段】ダム１５等の周辺部３９に設置されてダム１５等の基本水面１０よりも低い内部水面２０を有する濾過槽７と、濾過槽７内に設置された濾過用エンドレス走行ベルト９とを具備している。また、ベルト９によって濃縮して搬出される浮遊物１を貯蔵する備蓄槽８と、ダム１５等の基本水面１０上に浮かんで水と共に浮遊物１を自然流入させる回収部６と、回収部６と濾過槽７とを連通連結して回収部６から水と共に浮遊物１をサイフォン現象にて送る配管４とを、具備している。【選択図】  図２
2004225475.tif 000002
【特許請求の範囲】
【請求項１】
ダム（１５）等の周辺部（３９）に設置されて上記ダム（１５）等の基本水面（１０）よりも低い内部水面（２０）を有する濾過槽（７）と、
該濾過槽（７）内に設置された濾過用エンドレス走行ベルト（９）と、
該ベルト（９）によって濃縮して搬出される浮遊物（１）を貯蔵する備蓄槽（８）と、
上記ダム（１５）等の上記基本水面（１０）上に浮かんで水と共に上記浮遊物（１）を自然流入させる回収部（６）と、
該回収部（６）と上記濾過槽（７）とを連通連結して該回収部（６）から水と共に上記浮遊物（１）をサイフォン現象にて送る配管（４）とを、具備したことを特徴とするダム等の浮遊物除去装置。
【請求項２】
ダム（１５）等に浮かべられる船体（４０）と、
該船体（４０）内に設置されて上記ダム（１５）等の基本水面（１０）よりも低い内部水面（２０）を有する濾過槽（７）と、
該濾過槽（７）内に設置された濾過用エンドレス走行ベルト（９）と、
上記船体（４０）内に設置されて上記ベルト（９）によって濃縮して搬出される浮遊物（１）を貯蔵する備蓄槽（８）と、
上記ダム（１５）等の上記基本水面（１０）から水と共に上記浮遊物（１）を自然流入させると共に上記船体（４０）に取付けられた回収部（６）と、
該回収部（６）と上記濾過槽（７）とを連通連結して上記回収部（６）から水と共に上記浮遊物（１）をサイフォン現象にて送る配管（４）とを、具備したことを特徴とするダム等の浮遊物除去装置。
【請求項３】
配管（４）の吐出口（１２）から濾過槽（７）内へと流入する流入水（２２）と、上記濾過槽（７）内部に於けるポンプ（Ｐ）の吸込力とが、上記走行ベルト（９）と略直交方向に透過する水流（４９）を起こし、該水流（４９）が、上記走行ベルト（９）の下方走行部（３５）の表て面（３６）に付着した浮遊物（１）を取り除く請求項１又は２記載のダム等の浮遊物除去装置。
【請求項４】
ダム等（１５）の周辺部（３９）に設置されて上記ダム（１５）等の基本水面（１０）よりも低い内部水面（２０）を有する濾過槽（７）と、
該濾過槽（７）内で上記内部水面（２０）よりも低位置に設置された水平状の濾過用エンドレス走行ベルト（９）と、
該ベルト（９）によって１箇所に集められる浮遊物（１）を上記濾過槽（７）から排出搬送する排出手段（５４）と、
上記ダム（１５）等の上記基本水面（１０）上に浮かんで水と共に上記浮遊物（１）を自然流入させる回収部（６）と、
該回収部（６）と上記濾過槽（７）とを連通連結して該回収部（６）から水と共に上記浮遊物（１）をサイフォン現象にて送る配管（４）とを、具備し、
上記排出手段（５４）による排出水量（Ｑ１  ）を、上記濾過槽（７）への流入水量（Ｑ３  ）の５％〜２０％に設定したことを特徴とするダム等の浮遊物除去装置。
【請求項５】
ダム（１５）等に浮かべられて、該ダム（１５）等の基本水面（１０）から水と共に浮遊物（１）を自然流入させる濾過槽（７）と、
該濾過槽（７）内で上記基本水面（１０）よりも低位置に配置された水平状の濾過用エンドレス走行ベルト（９）と、
該ベルト（９）によって１箇所に集められる浮遊物（１）を上記濾過槽（７）から排出搬送する排出手段（５４）とを、具備し、
上記排出手段（５４）による排出水量（Ｑ１  ）を、上記濾過槽（７）への流入水量（Ｑ３  ）の５％〜２０％に設定したことを特徴とするダム等の浮遊物除去装置。
【請求項６】
濾過槽（７）内に設置されたポンプ（Ｐ）によって、上記濾過槽（７）内の水を元のダム（１５）等へ還流させる請求項１，２，３，４又は５記載のダム等の浮遊物除去装置。
【発明の詳細な説明】
【０００１】
【発明の属する技術分野】
本発明は、ダム等の浮遊物除去装置に関する。
【０００２】
【従来の技術】
従来のダム等（湖沼を含む）の水質浄化装置としては、ダム等の底部近傍から富栄養化状態にある水を揚水して、かつ、各種駆動ポンプを使用して回収する構成のものが知られている（例えば、特許文献１参照）。
【０００３】
【特許文献１】
特開平１０−１１８６８９号公報
【０００４】
【発明が解決しようとする課題】
従来の上記水質浄化装置では、ダム等の水面近傍に浮遊するアオコ等のプランクトン（藻類）を回収するには不向きであった。しかも、各種駆動ポンプの動力源を必要としていた。
【０００５】
そこで、本発明は、構造が簡易でありながら、ダム等の水面近傍の浮遊物を効率よく除去できる装置を提供することを目的とする。
【０００６】
【課題を解決するための手段】
上述の目的を達成するために、本発明に係るダム等の浮遊物除去装置は、ダム等の周辺部に設置されて上記ダム等の基本水面よりも低い内部水面を有する濾過槽と；該濾過槽内に設置された濾過用エンドレス走行ベルトと；該ベルトによって濃縮して搬出される浮遊物を貯蔵する備蓄槽と；上記ダム等の上記基本水面上に浮かんで水と共に上記浮遊物を自然流入させる回収部と；該回収部と上記濾過槽とを連通連結して該回収部から水と共に上記浮遊物をサイフォン現象にて送る配管とを、具備する。
【０００７】
また、ダム等に浮かべられる船体と；該船体内に設置されて上記ダム等の基本水面よりも低い内部水面を有する濾過槽と；該濾過槽内に設置された濾過用エンドレス走行ベルトと；上記船体内に設置されて上記ベルトによって濃縮して搬出される浮遊物を貯蔵する備蓄槽と；上記ダム等の上記基本水面から水と共に上記浮遊物を自然流入させると共に上記船体に取付けられた回収部と；該回収部と上記濾過槽とを連通連結して上記回収部から水と共に上記浮遊物をサイフォン現象にて送る配管とを、具備する。
【０００８】
また、配管の吐出口から濾過槽内へと流入する流入水と、上記濾過槽内部に於けるポンプの吸込力とが、上記走行ベルトと略直交方向に透過する水流を起こし、該水流が、上記走行ベルトの下方走行部の表て面に付着した浮遊物を取り除く。
【０００９】
また、ダム等の周辺部に設置されて上記ダム等の基本水面よりも低い内部水面を有する濾過槽と；該濾過槽内で上記内部水面よりも低位置に設置された水平状の濾過用エンドレス走行ベルトと；該ベルトによって１箇所に集められる浮遊物を上記濾過槽から排出搬送する排出手段と；上記ダム等の上記基本水面上に浮かんで水と共に上記浮遊物を自然流入させる回収部と；該回収部と上記濾過槽とを連通連結して該回収部から水と共に上記浮遊物をサイフォン現象にて送る配管とを、具備し；上記排出手段による排出水量を、上記濾過槽への流入水量の５％〜２０％に設定する。
【００１０】
また、ダム等に浮かべられて、該ダム等の基本水面から水と共に浮遊物を自然流入させる濾過槽と；該濾過槽内で上記基本水面よりも低位置に配置された水平状の濾過用エンドレス走行ベルトと；該ベルトによって１箇所に集められる浮遊物を上記濾過槽から排出搬送する排出手段とを、具備し；上記排出手段による排出水量を、上記濾過槽への流入水量の５％〜２０％に設定する。
さらに、濾過槽内に設置されたポンプによって、上記濾過槽内の水を元のダム等へ還流させる。
【００１１】
【発明の実施の形態】
以下、実施の形態を示す図面に基づき、本発明を詳説する。
【００１２】
図１と図２は、本発明の第１の実施の形態を示す簡略説明図と、作用及び構成説明用の断面側面図である。この浮遊物除去装置は、ダム１５等の周辺部３９に設置される濾過槽７と、濾過槽７内に設置される濾過用エンドレス走行ベルト９と、そのベルト９によって濃縮して搬出される浮遊物１を貯蔵する備蓄槽８とを、具備する。この濾過槽７は、ダム１５等の基本水面１０よりも低い内部水面２０を有する。ベルト９は、浮遊物１を付着するが、水を通すことのできる、微小孔を有する網目状体や、又は粘度の大きな浮遊物１を付着できる濾布とする。浮遊物１は、ダム１５等の水面に発生し易い、アオコ等の藻類や各種プランクトンやゴミ等である。
【００１３】
また、浮遊物除去装置は、ダム１５等の基本水面１０上に浮かんで、水と共に浮遊物１を自然流入させる回収部６と、回収部６と濾過槽７とを連通連結する配管４と、をも具備している。配管４は、第１配管５１と第２配管５２とから、連結部５にて着脱自在となるよう、構成されており、基本水面１０上に所定間隔を置いて浮かんだ浮き４６に接続されて、ダム１５を浮遊する。第１配管５１は、回収部６と接続し、第２配管５２は、濾過槽７と接続する。また、第１配管５１は、作業船４７に付設されており、回収部６と共に、ダム１５内の様々な場所へ移動できる。そして、備蓄槽８内に設置された配送ポンプ４３または吸入口等により、備蓄槽８内に貯蔵されている浮遊物１が、配送管４２を通り、ダム壁５０の上部等に設置された最終濾過槽１４へと配送される。
【００１４】
具体的に、図２の作用及び構成説明用断面側面図で説明する。回収部６は、ダム１５の水と浮遊物１が流入する回収槽１７と、回収槽１７をダム１５の基本水面１０に浮かせるための浮き部材１６と、から成り、回収開口部１８を、基本水面１０からの水深が常に一定に保たれるように回収槽１７の上部付近に配設し、基本水面１０近くの水と浮遊物１が、回収槽１７の内部１９へと流入し易くして、ダム１５の水と浮遊物１を回収開口部１８から矢印３７のように自然流入させる。この回収する水量は、単位時間当たり５０〜  ２００ｔ程度とする。
【００１５】
回収槽１７に接続した（可撓性を有するまたは剛性の大きい）第１配管５１の吸水口１１が、回収槽内部１９に配設されている。そして、第１配管５１は、作業船４７に付設しており、連結部５で、可撓性を有する第２配管５２と連結されるので、回収部６が、作業船４７と共にダム１５の様々な場所へと移動できる。
【００１６】
第２配管５２が、濾過槽７に接続され、その吐出口１２が、濾過槽７内にて、ダム１５の基本水面１０よりも十分に低い所で下向きとなるように、配設される。第２配管５２には、濾過槽７内側にバルブ４５が挿設されており、濾過槽７内への水の流入の開閉及び量の調整ができる。このように、吐出口１２が基本水面１０よりも十分に低い位置となるように配設されるので、回収部６内に自然流入した水と浮遊物１が、サイフォン現象にて、配管４を通り、濾過槽７内へ流入水２２となり流入する。なお、吐出口１２を、ベルト９と接触させず所定間隔を保ったまま、なるべく下方に配設すると、常に、内部水面２０が低位置となって、基本水面１０との落差Ｈが大きくなって、サイフォン現象により、安定して十分な流入水２２が得られる。このように、ダム１５の基本水面１０からの落差Ｈを利用したサイフォン作用により、浮遊物１の混入水を、回収部６から濾過槽７まで配送できるので、配送手段としてポンプ等の動力源を設置する必要がなく、簡素な構造となる。
【００１７】
濾過槽７内には、濾過用エンドレス走行ベルト９と、濾過槽７内の水を元のダム１５へ還流するポンプＰとが、配設されている。ここで、吐出口１２からベルト９の走行面の裏側（下面側）にポンプＰまたはその吸入口を配設すると、濾過槽７内に、矢印の流入水２２は、ポンプＰの配設される方向へ水流４９となり、浮遊物１…が、ベルト９に付着する。ベルト９の走行面２６は、水平面３１より所定傾斜角θ傾いている。この傾斜角θは、４０°〜７０°程度で、この場合、水中の浮遊物１が効率よくベルト９上に付着することができる。ここで。θ＜４０°のときには、濾過槽７が大容量となり、逆に、θ＞７０°のときには、浮遊物１が付着しにくく、落下する虞れがある。
【００１８】
また、濾過槽７には、浮遊物１を蓄えることができる備蓄槽８が併設されている。よって、ダム１５から送られる浮遊物混合水のうち、除去したい浮遊物１のみを集めて、蓄えることができる。
【００１９】
具体的に、図３の要部拡大断面図にて説明する。ベルト９の上方回転ドラム２８及びベルト９の下方走行部３５の一部が、濾過槽７と備蓄槽８の仕切り壁の開口１３と所定間隔を置いて、備蓄槽８側へ突出するように配設されている。ベルト９の上方走行部３２の表て面３３上に、流入した水中の浮遊物１…が付着しており、ベルト９が走行方向２９のように走行する。そして、備蓄槽８内では、上方回転ドラム２８の下方で下方走行部３５に当接する掻取部材２４が配設され、ベルト９上に付着し水気の減少した浮遊物１…が、掻取部材２４によって、掻取られ、備蓄槽８内へと落ちて、蓄えられる。この掻取部材２４は、図３のように、垂直板形状であれば、掻取った浮遊物１…が、効率よく備蓄槽８内へと落ちる。また、図３の形状の他に、ショベル形状等の掻取部材２４を配設するのもよい。
【００２０】
備蓄槽８内に蓄えられた濃縮浮遊物１は、図１，図２のように、備蓄槽８内に配設された配送ポンプ４３等により、配送管４２から、最終濾過槽１４へと送られ、濾過されて、水はダム１５等に還流され、浮遊物１…は、廃棄処分される。この最終濾過槽１４は、ダム壁５０の上部等に配設されたり、ダム１５等の周辺部３９に配設される。
【００２１】
要部拡大断面図の図４及び図２に於て、配管４の吐出口１２から濾過槽７内に流入した流入水２２による水力と、濾過槽７内部に於けるポンプＰの吸込力とが、水流４９を起こし、この水流４９が、ベルト９を透過し、上方走行部３２では、浮遊物１…が付着し、下方走行部３５では、その表て面３６に付着した浮遊物１を取り除く。このように、掻取部材２４で掻き取られずベルト９に付着したままの浮遊物１…を、取り除くことができるので、網目状のベルト９の目詰まりを防ぐことができ、ベルト９を長期間使用できる。また、水流４９により、水中の浮遊物１…が、上方走行部３２の表て面３３上に、効率よく付着するので、短時間で大量の浮遊物１…を除去することができる。このように、水流４９は、走行ベルト９に対して直交方向に透過して、効率よく浮遊物１…を採集できる。
【００２２】
また、ポンプＰに接続した還流管２１によって、濾過槽７内から、ベルト９を通過した水を、元のダム１５へ還流させる。また、上述したように、ポンプＰの吸込力は、濾過槽７内で水流４９を起こすことができる。還流管２１には、濾過槽７内に於て、バルブ類とフィルタ４４が挿着されており、水と共にポンプＰに吸込まれる浮遊物１…が、フィルタ４４で集められ、再び濾過槽７内の水中に戻される。
【００２３】
よって、濾過槽７にて、浮遊物１…の除去された水を元のダム１５へ還流できるので、濾過槽７を小規模にでき、かつ、開口１３から備蓄槽８内へ水が溢れないように、濾過槽７の内部水面２０の高さを調整できる。
【００２４】
図５は、ダム１５の平面図であり、ダム１５の周辺部３９には、浮遊物１が集積し易い場所（吹き溜まり場所）に、第２配管５２と共に濾過槽７・備蓄槽８が設置されている。そして、回収部６を、第１配管５１と共に作業船４７で移動させ、夫々の濾過槽７の第２配管５２と連結部５にて連結させる。第２配管５２は可撓性を有するので、一箇所の浮遊物除去装置にて、回収領域４８内のアオコ等の浮遊物１を除去することができる。この回収領域４８の平面視形状は、濾過槽７を略中心とする扇型の領域となる。このように、ダム１５の周辺部３９の複数の要所に濾過槽７・備蓄槽８を設置しておけば、１台の回収部６を移動させることにより、ダム１５の広域に渡って、アオコを除去することができる。
【００２５】
図６は、本発明の第２の実施の形態を示し、船体４０をダム１５等に浮かべて浮遊物１を除去する。すなわち、船体４０内には、ダム１５等の基本水面１０よりも低い内部水面２０を有する濾過槽７と、濾過槽７内に設置された傾斜状の濾過用エンドレス走行ベルト９と、ベルト９によって濃縮して搬出される浮遊物１を貯蔵する備蓄槽８とが、設置される。
【００２６】
回収部６が、船体４０と接続部材４１で取付けられているので、回収部６は、船体４０と共にダム１５を移動し、基本水面１０上に浮かんで、水と共に浮遊物１を自然流入させる。この回収部６は、内部１９にダム１５の水が入る回収槽１７と、回収槽１７をダム１５の基本水面１０に浮かせるための浮き部材１６と、から成り、ダム１５の水を、回収開口部１８から矢印３７のように自然流入させる。回収開口部１８を、回収槽１７の上部付近に配設し、基本水面１０近くの浮遊物１と水が、回収部６内へと流入し易くする。
【００２７】
そして、配管４は、回収部６と濾過槽７とを連通連結しており、その吐出口１２が、濾過槽７内にて、ダム１５の基本水面１０よりも十分に低く、かつ、下向きとなるように付設される。配管４には、船体４０内に於いて、バルブ４５が挿設されており、濾過槽７内への水の流入の開閉及び流入量の調整ができる。このように、吐出口１２が基本水面１０よりも十分に低い位置となるように配設されるので、回収部６内に自然流入した水と浮遊物１が、サイフォン現象にて、配管４を通り、濾過槽７内へ流入水２２となり流入する。
【００２８】
濾過槽７内には、濾過用エンドレス走行ベルト９と、濾過槽７内の水を元のダム１５へ還流するポンプＰとが、配設されている。そして、濾過槽７には、浮遊物１を貯蔵する備蓄槽８が併設されている。また、ポンプＰに接続した還流管２１が、濾過槽７内から、船体４０の外部のダム１５へ突設しており、ベルト９を通過した水を、元のダム１５へ還流させる。濾過槽７内のベルト９・ポンプＰの配置及び機能等や、備蓄槽８の配置や作用は、図１，図２，図３及び図４で既に説明した実施の形態と同様である。
【００２９】
船体４０がダム１５等に浮かんで除去作業している間に、濾過槽７で濾過された浮遊物１…を、一旦船体４０内に蓄えられるように、備蓄槽８を大きくする。そして、船体４０を、接岸させてから、備蓄槽８の浮遊物１…を搬出して、最終濾過を行う。このように、船体４０が、ダム１５の全域に渡り、移動できるので、広範囲のアオコ等の浮遊物１を除去することができる。
【００３０】
図７，図８は、本発明の第３の実施の形態を示す簡略説明図と、作用及び構成説明用の断面側面図である。この図７及び図８に示す如く、この浮遊物除去装置は、ダム１５等の周辺部３９に設置されてダム１５等の基本水面１０よりも低い内部水面２０を有する濾過槽７と、濾過槽７内で内部水面２０よりも低位置に設置され、走行方向２９のように走行する水平状の濾過用エンドレス走行ベルト９と、ベルト９によって１箇所に集められる浮遊物１を濾過槽７から排出搬送する排出手段５４と、ダム１５等の基本水面１０上に浮かんで水と共に浮遊物１を自然流入させる回収部６と、回収部６と濾過槽７とを連通連結して回収部６から水と共に浮遊物１をサイフォン現象にて送る配管４とを、具備している。また、排出手段５４による排出水量Ｑ１  が、濾過槽７への流入水量Ｑ３  の１／２０〜１／５、即ち、５％〜２０％に設定する。
【００３１】
図８に於て、回収部６から、濾過槽７に接続される第２配管５２までの構成は、図２に於て説明した構成と同様であり、説明を省略する。また、ベルト９は図３と図４で述べたように微小孔を有する網目状体、又は濾布として、水の通過を許容する構造である。濾過槽７内では、ベルト９の下方に、濾過槽７内の水を元のダム１５へ還流して内部水面２０の水位を同じに保つためのポンプＰが配設され、ベルト９の右端側には、上方走行部３２に当接するように掻取部材２４が配設されている。排出手段５４は、濾過槽７内の水を最終濾過槽１４に排出配送するための配送ポンプ４３と、配送ポンプ４３に接続されて掻取部材２４とベルト９の当接部上方に吸水口６２が配設される配送管４２とを、有し、ベルト９の左側上方には、第２配管５２の吐出口１２が下向きに配設される。
【００３２】
図９、図１０は、本発明の第４の実施の形態を示す簡略説明図と、作用及び構成説明用の断面側面図である。この図９及び図１０に示す如く、この浮遊物除去装置は、ダム１５等に浮かべられて、ダム１５等の基本水面１０から水と共に浮遊物１を自然流入させる濾過槽７と、濾過槽７内で基本水面１０よりも低位置に配置され、走行方向２９のように走行する水平状の濾過用エンドレス走行ベルト９と、ベルト９によって１箇所に集められる浮遊物１を濾過槽７から排出搬送する排出手段５４とを、具備する。また、排出手段５４による排出水量Ｑ１  が、濾過槽７への流入水量Ｑ３  の１／２０〜１／５、即ち、５％〜２０％に設定する。
【００３３】
図１０に於て、濾過槽７は、ダム１５等の基本水面１０に浮かせるための浮き部材１６が付設され、左側上方部には、ダム１５等の基本水面１０から水と共に浮遊物１を自然流入させる取り込み口５８を有している。濾過槽７内では、ベルト９の下方に、濾過槽７内の水を元のダム１５へ還流するポンプＰが配設され、ベルト９の右端側には、上方走行部３２に当接するように掻取部材２４が配設されている。排出手段５４は、濾過槽７内の水を最終濾過槽１４に排出配送するための配送ポンプ４３と、配送ポンプ４３に接続されて掻取部材２４とベルト９の当接部上方に吸水口６２が配設される配送管４２とを、有する。
【００３４】
図７，図９のいずれに於ても、配送管４２は、基本水面１０より２５ｍ〜３５ｍの高さのダム壁５０の上部に設置される。また、排出手段５４は、設計変更可能で、配送ポンプ４３が設置される代わりに、サイフォン現象にて濾過槽７の水が最終濾過槽１４へと流入するように、最終濾過槽１４が、濾過槽７よりも低水位とするようダム１５の周辺部に設置され、濾過槽７と最終濾過槽１４とが、配送管４２で連結されるのもよい。
【００３５】
図８に於て、ダム１５の水と浮遊物１が、第２配管５２の吐出口１２から濾過槽７内へ水量Ｑ３  をもって流入し、浮遊物１…が、ポンプＰの吸込力による水流４９でベルト９の上方走行部３２に付着し、集積場所５３で掻取部材２４により掻き取られる。また、ベルト９が、走行方向２９のように走行するので、ベルト９上方に水流５７ができ、この水流５７により浮遊物１…が、集積場所５３へと集まる。そして、集積場所５３の水流Ｑ１  の浮遊物１…及び水が、排出手段５４により排出され、最終濾過槽１４へ送られる。濾過槽７内では、排出水流Ｑ１  と、ポンプＰがダム１５等へ還流させる水量Ｑ２  との合計は、濾過槽７への流入水量Ｑ３  と等しく、排出水流Ｑ１  は、還流水量Ｑ２  の４倍乃至１９倍である。水流Ｑ１  と水量Ｑ２  の比率は、ダム１５等の水中の浮遊物１（アオコ等）の含有状態に応じて、決められる。
【００３６】
図９に於て、配送管４２は、可撓性を有しており、濾過槽７は、ダム１５水面上を移動できるように船，筏，ボート等に連結されたり、船，筏，ボート等内に設置したり、あるいは、濾過槽７自体にスクリュー等を設け遠隔操作可能とする。また、ポンプＰによる排出水力を制御して推進力にして、濾過槽７を移動させるのもよい。図１０に於て、ダム１５の水と浮遊物１が、取り込み口５８から水流Ｑ３  をもって流入する。濾過槽７内部の構成は図８と同様であるので、ダム１５の水と浮遊物１の最終濾過槽１４までの配送過程の説明を省略する。
【００３７】
上述のように、ダム１５等の水面の浮遊物１が、水中で集められ適度に濃縮されて、ポンプ４３等の排出手段５４によって効率よく回収されるので、ポンプ４３等を小型化でき、かつポンプ４３等の動力も少なくて済み、さらに、最終濾過槽１４も有効に機能する。また、図８の回収部６及び、図１０の濾過槽７本体が、ダム１５等の浮遊物１が集積し易い場所（吹き溜まり場所）に移動可能なので、広範囲の浮遊物１を除去することができる。
【００３８】
また、図１０に於て、ダム１５の水が流入する取り込み口５８には、底面と左右側壁を有し水平状に長い樋状部材が形成されたり、又は、複数のスライド状の樋状部材が、伸縮可能に形成されるのもよい。この樋状部材が形成されると、濾過槽７は、水面１０付近に浮遊する藻，ゴミ等を掬いながら吸い込むことができる。また、ダム１５の周辺部３９のように、底が浅く濾過槽７の接近が困難な場所においても、浮遊物１の混合水が、樋状部材を介して、濾過槽７内へ流入する。
【００３９】
なお、図２，図６に於て、浮遊物除去装置は設計変更可能であり、回収部６として、（図１０に図示した）濾過槽７の構成をそのまま適用するも望ましい。つまり、（図１０に図示した）濾過槽７が、回収部６として基本水面１０上に浮かべられて、配管４に接続される。すなわち、配管４の第１配管５１として、（図１０に於ける）排出手段５４の配送管４２を使用することとなる。浮遊する上述の回収部６から、（図２では周辺部３９に設置され、図６では船体４０内に設置された）濾過槽７へ、水と共に浮遊物１が、サイフォン現象又はポンプ４３にて送られると、一層効率よく浮遊物１が回収される。
【００４０】
【発明の効果】
本発明は上述の如く構成されるので、次に記載する効果を奏する。
【００４１】
（請求項１によれば）ダム１５等の水面の浮遊物１を効率よく回収することが可能となる。そして、ダム１５等の基本水面１０からの落差を利用したサイフォン作用により、浮遊物１と水を、回収部６から濾過槽７まで送ることができるので、ポンプ等の動力源を設置する必要がなく、除去装置を簡素化でき、コストも安くできる。
【００４２】
（請求項２によれば）ダム１５等の水面の浮遊物１を効率よく回収することが可能となる。そして、船体４０が、ダム１５の全域に渡り、移動できるので、広範囲のアオコ等の浮遊物１を除去することができる。また、ダム１５の基本水面１０からの落差を利用したサイフォン作用により、浮遊物１の混入水を、回収部６から濾過槽７まで配送できるので、配送手段としてポンプ等の動力源を設置する必要がなく、除去装置を簡素化できる。
【００４３】
（請求項３によれば）水流４９により、掻取部材２４で掻き取られずベルト９に付着したまま残った浮遊物１…を、取り除くことができるので、ベルト９の網目が目詰まりをせず、ベルト９を長期間使用できる。また、水流４９により、水中の浮遊物１…が、上方走行部３２の表て面３３上に、効率よく付着するので、短時間で大量の浮遊物１…を除去することができる。
【００４４】
（請求項４によれば）ダム１５等の水面の浮遊物１が、水中で集められ適度に濃縮されて、ポンプ４３等の排出手段５４によって効率よく回収されて配送されるので、ポンプ４３等を小型化でき、かつポンプ４３等の動力も少なくて済み、さらに、最終濾過槽１４も有効に機能する。また、回収部６が、ダム１５等の浮遊物１が集積し易い場所（吹き溜まり場所）に移動可能なので、広範囲の浮遊物１を除去することができる。また、ダム１５等の基本水面１０からの落差を利用したサイフォン作用により、浮遊物１と水を、回収部６から濾過槽７まで送ることができるので、ポンプ等の動力源を設置する必要がなく、除去装置を簡素化でき、コストも安くできる。
【００４５】
（請求項５によれば）ダム１５等の水面の浮遊物１が、水中で集められ適度に濃縮されて、ポンプ４３等の排出手段５４によって効率よく回収されて配送されるので、ポンプ４３等を小型化でき、かつポンプ４３等の動力も少なくて済み、さらに、最終濾過槽１４も有効に機能する。また、濾過槽７本体が、ダム１５等の浮遊物１が集積し易い場所（吹き溜まり場所）に移動可能なので、広範囲の浮遊物１を除去することができる。
【００４６】
（請求項６によれば）浮遊物１…の除去された水を元のダム１５へ還流できるので、濾過槽７を小規模にでき、かつ、濾過槽７の内部水面の高さを調整できる。
【図面の簡単な説明】
【図１】本発明のダム等の浮遊物除去装置の第１の実施の形態を示す簡略説明図である。
【図２】作用及び構成説明用の断面側面図である。
【図３】ベルトの上方の要部拡大側面図である。
【図４】ベルトの下方の要部拡大側面図である。
【図５】全体の平面図である。
【図６】本発明のダム等の浮遊物除去装置の第２の実施の形態を示す作用及び構成説明用の断面側面図である。
【図７】本発明のダム等の浮遊物除去装置の第３の実施の形態を示す簡略説明図である。
【図８】作用及び構成説明用の断面側面図である。
【図９】本発明のダム等の浮遊物除去装置の第４の実施の形態を示す簡略説明図である。
【図１０】作用及び構成説明用の断面側面図である。
【符号の説明】
１  浮遊物
４    配管
６  回収部
７  濾過槽
８  備蓄槽
９  ベルト
１０    基本水面
１２  吐出口
１５  ダム
２０    内部水面
２２  流入水
２４    掻取部材
３５  下方走行部
３６  （下方走行部）表て面
３９  周辺部
４０  船体
４９  水流
５４    （浮遊物）排出手段
Ｐ  ポンプ
【図１】
2004225475.tif 000003
【図２】
2004225475.tif 000004
【図３】
2004225475.tif 000005
【図４】
2004225475.tif 000006
【図５】
2004225475.tif 000007
【図６】
2004225475.tif 000008
【図７】
2004225475.tif 000009
【図８】
2004225475.tif 000010
【図９】
2004225475.tif 000011
【図１０】
2004225475.tif 000012